(57)【要約】【課題】安全性が高く、人体工学的に好ましく、製造コストが少ない坐位式・立位式腰捻りトレーニング器具を提供する。【解決手段】坐位式・立位式腰捻りトレーニング器具は、ベース１、第１のセクター歯車２、第２のセクター歯車３、シート４、フートレスト５及びアームレスト機構６を備える。ベース１は、右ストッパ１０及び左ストッパを有する。第１のセクター歯車２は、ベース１上に旋回可能に結合された第１の車輪軸を有する。第２のセクター歯車３は、ベース１上に旋回可能に結合された第２の車輪軸３０を有するとともに、第１のセクター歯車２と噛合される。シート４は、ユーザがその上に座り得るとともに、第１の車輪軸の頂端に結合されて第１のセクター歯車２と同期で旋回する。フートレスト５は、一端が第１のセクター歯車２の頂面上に連結固定され、他端には上方へ延びた延伸部５３が設けられる。【選択図】図１
0003216271.tif 000002
【実用新案登録請求の範囲】
【請求項１】
ベース、第１のセクター歯車、第２のセクター歯車、シート、フートレスト及びアームレスト機構を備えた坐位式・立位式腰捻りトレーニング器具であって、
前記ベースは、右ストッパ及び左ストッパを有し、
前記第１のセクター歯車は、前記ベース上に旋回可能に結合された第１の車輪軸を有し、前記右ストッパ及び前記左ストッパは、前記第１のセクター歯車の回転角度を所定範囲内に制限し、
前記第２のセクター歯車は、前記ベース上に旋回可能に結合された第２の車輪軸を有するとともに、前記第１のセクター歯車と噛合され、
前記シートは、ユーザがその上に座り得るとともに、前記第１の車輪軸の頂端に結合されて前記第１のセクター歯車と同期で旋回し、
前記フートレストは、一端が前記第１のセクター歯車の頂面上に連結固定され、他端には上方へ延びた延伸部が設けられ、前記延伸部には、キックペダルが横方向に結合され、前記キックペダルは、ユーザが両足で踏み下ろすのに都合が良いように高さがシートに略等しいか等しく、
前記アームレスト機構は、横杆、立管及び手すりを有し、前記横杆の一端は、前記第２のセクター歯車の頂面上に結合固定され、前記立管の下端は、前記横杆の他端に結合され、ユーザは両手で前記手すりを握り、前記手すりの中央部には、直立状の伸縮管が下向きに延設され、前記伸縮管の下端は、伸縮長さが調整可能に前記立管の上端に結合されているため、ユーザが前記シート上に立ったり座ったりしたときに前記手すりを両手で握り易い高さに調整し得ることを特徴とする坐位式・立位式腰捻りトレーニング器具。
【請求項２】
前記アームレスト機構は、調整ねじを有し、
前記調整ねじは、前記立管に螺着され、
前記伸縮管には、縦向きに配列された複数の位置決め孔が間隔をおいて形成され、前記調整ねじが前記位置決め孔のうちの一つに選択的に挿設されて前記手すりの高さを調整することを特徴とする請求項１に記載の坐位式・立位式腰捻りトレーニング器具。
【請求項３】
前記アームレスト機構は、固定ねじ及び弾性モジュールを有し、
前記横杆の他端には、枢着部材が設けられ、
前記枢着部材には、ねじ孔が形成され、
前記立管の下端は、揺動可能に前記枢着部材上に枢着され、前記立管の下端には、互いに対向する側に貫通された穿孔が形成され、
前記立管の前記穿孔に前記固定ねじが挿設されて前記枢着部材の前記ねじ孔に螺着されているため、前記立管が前記横杆の他端で揺動されることを防ぎ、
前記弾性モジュールは、前記枢着部材と前記立管の下端との間に結合され、
前記立管の下端及び前記枢着部材から前記固定ねじを取り外すと、前記弾性モジュールは、前記立管が前方へ揺動された後に弾性回復力により元の位置に戻す弾性力を発生させることを特徴とする請求項１に記載の坐位式・立位式腰捻りトレーニング器具。
【請求項４】
前記枢着部材には、長尺状孔が形成され、
前記弾性モジュールは、枢軸、スプリングネジ、スプリングナット及びばねを有し、
前記枢軸は、前記立管の下端に旋回可能に結合され、
前記スプリングネジは、前記枢軸及び前記長尺状孔に挿設され、前記スプリングナットは、前記スプリングネジの端部に螺着され、
前記ばねは、前記スプリングネジ上に嵌設されるとともに、一端が前記枢着部材に当接され、他端が前記スプリングナットに当接されることを特徴とする請求項３に記載の坐位式・立位式腰捻りトレーニング器具。
【請求項５】
前記アームレスト機構は、発泡体カバーを有し、
前記発泡体カバーは、前記立管上に嵌設されることを特徴とする請求項３に記載の坐位式・立位式腰捻りトレーニング器具。
【請求項６】
前記アームレスト機構は、調整ねじを有し、
前記調整ねじは、前記立管に螺着され、
前記伸縮管には、縦向きに配列された複数の位置決め孔が間隔をおいて形成され、
前記調整ねじは、前記位置決め孔のうちの一つに選択的に挿設されて前記手すりの高さを調整することを特徴とする請求項３に記載の坐位式・立位式腰捻りトレーニング器具。
【請求項７】
メインハウジング及びサブハウジングをさらに備え、
前記メインハウジングは、前記ベース上に覆設され、
前記サブハウジングは、前記アームレスト機構の下端に設けられることを特徴とする請求項３に記載の坐位式・立位式腰捻りトレーニング器具。
【考案の詳細な説明】
【技術分野】
【０００１】
本考案は、腰捻りトレーニング器具に関し、特に、坐位式腰捻りトレーニング器具及び立位式腰捻りトレーニング器具の機能を兼備えるとともに、安全性が高く、人体工学的に好ましく、製造コストが少ない坐位式・立位式腰捻りトレーニング器具に関する。
【背景技術】
【０００２】
従来の腰捻りトレーニング器具（例えば、本考案者が以前出願した特許文献１）は、従動歯車と駆動歯車とが噛合してシートとアームレスト機構とが連動し、同期で対応して捻り動作を行い、シート上に座るユーザの上・下半身は、捩り振子運動を発生させることができるため、腹筋・背筋の筋群を集中的に鍛えることができる。
【０００３】
しかし、従来の腰捻りトレーニング器具には、一定期間使用すると以下（１）〜（４）の問題点があるため、改善が求められていた。
（１）アームレスト機構中の上スリーブは、下スリーブ上の伸縮距離がばねにより制限され、小さな距離でしか調整できないため、ユーザがシート上に立つときに手すりを把持可能な高さへ調整できなかった。そのため、立った状態で腰捻り動作を行うことができず、座った状態でしか腰捻り動作をすることはできなかった。
（２）ねじれ角度制限構造が全く設けられていないため、シートとアームレスト機構とが対応してねじれ角度を正確に制御することができず、ユーザが使用する力が過度に大きい場合、上・下半身のねじれが大きくなりすぎてスポーツ障害が起きる虞があり、安全性が低かった。
（３）フートレストがシート下方の非常に低い場所に設けられていたため、ユーザの両足でキックぺダルを踏み降ろすと両足が届かなくなり、人体工学的に好ましくなく、トレーニング効果があまり良くなかった。
（４）架台が伸縮可能であり、従動歯車及び駆動歯車が円形を呈する構造であるため、材料が浪費され、製作コストが多くかかった。
【０００４】
本考案者は、前述した従来の腰捻りトレーニング器具の課題を解決すべく鋭意研究を重ねた結果、本考案を完成させたものである。
【先行技術文献】
【特許文献】
【０００５】
【特許文献１】台湾特許出願番号第０９９１２５８３８号
【考案の概要】
【考案が解決しようとする課題】
【０００６】
本考案の主な目的は、従来の腰捻りトレーニング器具が坐位式腰捻り運動を行うことしかできず、安全性が低く、人体工学的に好ましくなく、製造コストが多くかかるという問題点を改善する、坐位式・立位式腰捻りトレーニング器具を提供することにある。
【課題を解決するための手段】
【０００７】
上記課題を解決するために、本考案の第１の形態によれば、ベース、第１のセクター歯車、第２のセクター歯車、シート、フートレスト及びアームレスト機構を備えた坐位式・立位式腰捻りトレーニング器具であって、前記ベースは、右ストッパ及び左ストッパを有し、前記第１のセクター歯車は、前記ベース上に旋回可能に結合された第１の車輪軸を有し、前記右ストッパ及び前記左ストッパは、前記第１のセクター歯車の回転角度を所定範囲内に制限し、前記第２のセクター歯車は、前記ベース上に旋回可能に結合された第２の車輪軸を有するとともに、前記第１のセクター歯車と噛合され、前記シートは、ユーザがその上に座り得るとともに、前記第１の車輪軸の頂端に結合されて前記第１のセクター歯車と同期で旋回し、前記フートレストは、一端が前記第１のセクター歯車の頂面上に連結固定され、他端には上方へ延びた延伸部が設けられ、前記延伸部には、キックペダルが横方向に結合され、前記キックペダルは、ユーザが両足で踏み下ろすのに都合が良いように高さがシートに略等しいか等しく、前記アームレスト機構は、横杆、立管及び手すりを有し、前記横杆の一端は、前記第２のセクター歯車の頂面上に結合固定され、前記立管の下端は、前記横杆の他端に結合され、ユーザは両手で前記手すりを握り、前記手すりの中央部には、直立状の伸縮管が下向きに延設され、前記伸縮管の下端は、伸縮長さが調整可能に前記立管の上端に結合されているため、ユーザが前記シート上に立ったり座ったりしたときに前記手すりを両手で握り易い高さに調整し得ることを特徴とする坐位式・立位式腰捻りトレーニング器具が提供される。
【０００８】
前記アームレスト機構は、調整ねじを有し、前記調整ねじは、前記立管に螺着され、前記伸縮管には、縦向きに配列された複数の位置決め孔が間隔をおいて形成され、前記調整ねじが前記位置決め孔のうちの一つに選択的に挿設されて前記手すりの高さを調整することが好ましい。
【０００９】
前記アームレスト機構は、固定ねじ及び弾性モジュールを有し、前記横杆の他端には、枢着部材が設けられ、前記枢着部材には、ねじ孔が形成され、前記立管の下端は、揺動可能に前記枢着部材上に枢着され、前記立管の下端には、互いに対向する側に貫通された穿孔が形成され、前記立管の前記穿孔に前記固定ねじが挿設されて前記枢着部材の前記ねじ孔に螺着されているため、前記立管が前記横杆の他端で揺動されることを防ぎ、前記弾性モジュールは、前記枢着部材と前記立管の下端との間に結合され、前記立管の下端及び前記枢着部材から前記固定ねじを取り外すと、前記弾性モジュールは、前記立管が前方へ揺動された後に弾性回復力により元の位置に戻す弾性力を発生させることが好ましい。
【００１０】
前記枢着部材には、長尺状孔が形成され、前記弾性モジュールは、枢軸、スプリングネジ、スプリングナット及びばねを有し、前記枢軸は、前記立管の下端に旋回可能に結合され、前記スプリングネジは、前記枢軸及び前記長尺状孔に挿設され、前記スプリングナットは、前記スプリングネジの端部に螺着され、前記ばねは、前記スプリングネジ上に嵌設されるとともに、一端が前記枢着部材に当接され、他端が前記スプリングナットに当接されることが好ましい。
【００１１】
前記アームレスト機構は、発泡体カバーを有し、前記発泡体カバーは、前記立管上に嵌設されることが好ましい。
【００１２】
前記アームレスト機構は、調整ねじを有し、前記調整ねじは、前記立管に螺着され、前記伸縮管には、縦向きに配列された複数の位置決め孔が間隔をおいて形成され、前記調整ねじは、前記位置決め孔のうちの一つに選択的に挿設されて前記手すりの高さを調整することが好ましい。
【００１３】
メインハウジング及びサブハウジングをさらに備え、前記メインハウジングは、前記ベース上に覆設され、前記サブハウジングは、前記アームレスト機構の下端に設けられることが好ましい。
【考案の効果】
【００１４】
本考案の坐位式・立位式腰捻りトレーニング器具は、従来の腰捻りトレーニング器具が、坐位式腰捻り運動を行うことしかできず、安全性が低く、人体工学的に好ましくなく、製造コストが多くかかるという問題点を改善することができる。
【図面の簡単な説明】
【００１５】
【図１】図１は、本考案の一実施形態に係る坐位式・立位式腰捻りトレーニング器具を示す斜視図である。
【図２】図２は、本考案の一実施形態に係る坐位式・立位式腰捻りトレーニング器具を示す平面図である。
【図３】図３は、図２の線Ａ−Ａに沿った断面図である。
【図４】図４は、図３の線Ｂ−Ｂに沿った断面図である。
【図５】図５は、本考案の一実施形態に係るアームレスト機構の伸縮動作を示す説明図である。
【図６】図６は、腰捻り動作を行うときに、アームレストが左回りに回転され、シートが右回りに回転された状態を示す説明図である。
【図７】図７は、腰捻り動作を行うときに、アームレストが右回りに回転され、シートが左回りに回転された状態を示す説明図である。
【図８】図８は、アームレスト機構が前後に揺動されるときの状態を示す説明図である。
【図９】図９は、本考案の一実施形態に係る坐位式・立位式腰捻りトレーニング器具を示す斜視図である。
【考案を実施するための形態】
【００１６】
図１〜図５を参照する。図１〜図５に示すように、本考案の一実施形態に係る坐位式・立位式腰捻りトレーニング器具は、少なくともベース１、第１のセクター歯車２、第２のセクター歯車３、シート４、フートレスト５及びアームレスト機構６から構成されてなる。
【００１７】
ベース１は、右ストッパ１０及び左ストッパ１１を有する。
【００１８】
第１のセクター歯車２は、ベース１上に旋回可能に結合された第１の車輪軸２０を有する。第１のセクター歯車２が適宜な角度で右回りに回転されると、左側が左ストッパ１１により止められ、第１のセクター歯車２が適宜な角度で左回りに回転されると、右側が右ストッパ１０により止められる。
【００１９】
第２のセクター歯車３は、ベース１上に旋回可能に結合された第２の車輪軸３０を有するとともに、第１のセクター歯車２と噛合される。
【００２０】
シート４は、ユーザがその上に座ることができるとともに、第１の車輪軸２０の頂端に結合されて第１のセクター歯車２と同期で旋回する。
【００２１】
フートレスト５は、固定スリーブ５０、伸縮スリーブ５１及びキックペダル５２を含む。固定スリーブ５０の一端は、第１のセクター歯車２の頂面上に連結固定される。伸縮スリーブ５１は、伸縮長さが調整可能なように固定スリーブ５０の他端に結合され、伸縮スリーブ５１の固定スリーブ５０から遠い一端には、上斜め前方に傾斜して延びた延伸部５３を有する。キックペダル５２は、延伸部５３の上端に横方向に結合され、ユーザが両足で踏み下ろすのに都合が良いように、高さがシート４に略等しいか等しい。
【００２２】
アームレスト機構６は、横杆６０、立管６１、手すり６２及び発泡体カバー６３を含む。横杆６０の一端は、第２のセクター歯車３の頂面上に結合固定される。立管６１の下端は、横杆６０の他端に結合される。ユーザは両手で手すり６２を握り、手すり６２の中央部には、直立状の伸縮管６４が下向きに延設されている。伸縮管６４の下端は、伸縮長さが調整可能に立管６１の上端に結合されているため、ユーザがシート４上に立ったときに手すり６２を両手で握り易い高さに調整することができる。発泡体カバー６３は、立管６１上に嵌設される。
【００２３】
図５を参照する。図５に示すように、アームレスト機構６は、調整ねじ６５を含む。調整ねじ６５は、立管６１に螺着される。伸縮管６４には、縦向きに配列された複数の位置決め孔６４０が間隔をおいて形成されている。調整ねじ６５は、位置決め孔６４０のうちの一つに選択的に挿設され、手すり６２の高さを調整することができる。そのため、ユーザがシート４に座ったときに両腕が置き易い高さに手すり６２を調整し、ユーザが坐位式の腰捻り運動を行うことができる上、ユーザがシート４上に立ったときに両手で容易に握ることができる高さに調整することができるため、ユーザは立位式腰捻り運動を行うことができる。
【００２４】
図６を参照する。図６に示すように、手すり６２が左回りに回転されると、第２のセクター歯車３が逆時計回りに回転され、第１のセクター歯車２が第２のセクター歯車３により時計回りに回転され、シート４及びフートレスト５が右方向へ旋回される。そのため、ユーザの上半身は左回りに捻られるとともに、下半身は右回りに捻られる。また、第１のセクター歯車２が時計回りで適宜な角度で回転されると、左側が左ストッパ１１により止められるため、上・下半身の捻り角度大きくなって運動障害が起きることを防ぐことができる。
【００２５】
図７を参照する。図７に示すように、手すり６２が右回りに回転されると、第２のセクター歯車３が時計回りで回転され、第１のセクター歯車２が第２のセクター歯車３により逆時計回りで回転され、シート４及びフートレスト５が左回りに回転される。そのため、ユーザの上半身が右方向へ捻られると、下半身が同期で左回りに捻られる。また、第１のセクター歯車２が逆時計回りで適宜な角度で回転されると、右側が右ストッパ１０により止められるため、上・下半身の捻り角度大きくなりすぎて、運動障害が起きることを防ぐことができる。
【００２６】
そのため、上述した図６及び図７の動作を繰り返して行う腰捻り運動により腹筋、背筋の筋群を鍛えることができる。
【００２７】
図３及び図８を参照する。図３及び図８に示すように、アームレスト機構６は、固定ねじ６６及び弾性モジュール６７を含む。横杆６０の他端には、枢着部材６００が設けられる。枢着部材６００には、ねじ孔６０１が形成される。立管６１の下端は、揺動可能に枢着部材６００上に枢着され、立管６１の下端には、互いに対向する側に貫通された穿孔６１０が形成されている。固定ねじ６６が、立管６１の穿孔６１０に挿設されて枢着部材６００のねじ孔６０１に螺着されているため、立管６１が横杆６０の他端で揺動することを防ぐことができる。弾性モジュール６７は、枢着部材６００と立管６１の下端との間に結合され、立管６１が前方へ揺動されると、弾性回復力により元の位置に戻す弾性力が発生する。
【００２８】
図８を参照する。図８に示すように、枢着部材６００には、長尺状孔６０２が形成される。弾性モジュール６７は、枢軸６７０、スプリングネジ６７１、スプリングナット６７２及びばね６７３を含む。枢軸６７０は、立管６１の下端に旋回可能に結合される。スプリングネジ６７１は、枢軸６７０及び長尺状孔６０２に挿設される。スプリングナット６７２は、スプリングネジ６７１の端部に螺着される。ばね６７３は、スプリングネジ６７１上に嵌設されるとともに、一端が枢着部材６００に当接され、他端がスプリングナット６７２に当接される。
【００２９】
また、固定ねじ６６を立管６１の下端及び枢着部材６００から取り外し、ユーザが手すり６２に力を加えて立管６１の上端を前方へ揺動させると、ばね６７３が圧縮され、ユーザから加えられる力が無くなると、ばね６７３の弾力により立管６１が後方へ揺動されて元の位置へ戻るため、ユーザはアームレスト機構６を前後へ揺動させ、ボート漕ぎの運動を行うことができる。また、スプリングナット６７２を締め付けたり緩めたりしてばね６７３の弾力を調整し、アームレスト機構６の前後方向への揺動の力を調整することができる。
【００３０】
図９を参照する。図９に示すように、本考案を実際に実施する際、ベース１上にメインハウジング７０が覆設され、サブハウジング７１によりアームレスト機構６の下端を覆い、ユーザの衣類その他の物が内部で運動する部材中に巻き込まれて危険が生じることを防ぐ。
【００３１】
本考案の坐位式・立位式腰捻りトレーニング器具は、以下（１）〜（４）の長所を有する。
（１）ユーザがシート４上に座るときに両腕が置き易い高さに手すり６２を調整し、ユーザが坐位式の腰捻り運動を行うことができる上、ユーザがシート４上に立ったときに両手で握り易い高さに手すり６２を調整することができるため、ユーザは立位式腰捻り運動を行うことができる。そのため、本考案は、坐位式腰捻り運動及び立位式腰捻り運動の機能を兼備える。
（２）右ストッパ１０及び左ストッパ１１により第１のセクター歯車２の揺動角度を制限するため、ユーザが腰捻り運動を行う際、上半身及び下半身の捻り角度が適宜な範囲内に制限され、過大な力が発生して大きな旋回により運動障害が起きることを防ぐことができるため、安全性が高い。
（３）フートレスト５の他端が上向きに延びた延伸部５３によりキックペダル５２の高さがシート４に略等しいか等しいため、ユーザが両足で踏み下ろしても、足がぶらぶらせず、人体工学的に好ましく、高いトレーニング効果が得られる。
（４）複数の杆体により構成されたベース１と、扇形状の第１のセクター歯車２及び第２のセクター歯車３とにより材料を節約することができるため、製造コストを大幅に減らすことができる。
【符号の説明】
【００３２】
１  ベース
２  第１のセクター歯車
３  第２のセクター歯車
４  シート
５  フートレスト
６  アームレスト機構
１０  右ストッパ
１１  左ストッパ
２０  第１の車輪軸
３０  第２の車輪軸
５０  固定スリーブ
５１  伸縮スリーブ
５２  キックペダル
５３  延伸部
６０  横杆
６１  立管
６２  手すり
６３  発泡体カバー
６４  伸縮管
６５  調整ねじ
６６  固定ねじ
６７  弾性モジュール
７０  メインハウジング
７１  サブハウジング
６００  枢着部材
６０１  ねじ孔
６０２  長尺状孔
６１０  穿孔
６４０  位置決め孔
６７０  枢軸
６７１  スプリングネジ
６７２  スプリングナット
６７３  ばね
【図１】
0003216271.tif 000003
【図２】
0003216271.tif 000004
【図３】
0003216271.tif 000005
【図４】
0003216271.tif 000006
【図５】
0003216271.tif 000007
【図６】
0003216271.tif 000008
【図７】
0003216271.tif 000009
【図８】
0003216271.tif 000010
【図９】
0003216271.tif 000011